(57)【要約】【課題】車両側面衝突時における乗員保護を適切に図りつつ、ドアロックユニットへの負荷入力を適切に抑制することが可能な車両側部構造を提供する。【解決手段】衝撃吸収体ＥＡは、天板部３と、この天板部３に一体的に繋がって天板部３の外周縁から車幅方向に起立する周壁部４とを有するボックス状とされ、かつ車幅方向外方からの所定以上の負荷入力によって周壁部４が屈曲変形可能とされている、車両側部構造Ａであって、衝撃吸収体ＥＡは、ドアロックユニット２に接近するようにしてドアロックユニット２よりも車両前方寄りに配され、衝撃吸収体ＥＡの周壁部４は、３以上のコーナ部を有する多角形筒状とされ、衝撃吸収体ＥＡの後部側は、前部側よりもコーナ部Ｃの数が多くされている。【選択図】  図１
2015196431.tif 000002
【特許請求の範囲】
【請求項１】
車両のサイドドアに取り付けられた衝撃吸収体と、
前記サイドドアの後部寄りの位置に設けられたドアロックユニットと、
を備えており、
前記衝撃吸収体は、天板部と、この天板部に一体的に繋がって前記天板部の外周縁から車幅方向に起立する周壁部とを有するボックス状とされ、かつ車幅方向外方からの所定以上の負荷入力によって前記周壁部が屈曲変形可能とされている、車両側部構造であって、
前記衝撃吸収体は、前記ドアロックユニットに接近するようにして前記ドアロックユニットよりも車両前方寄りに配されており、
前記衝撃吸収体の周壁部は、３以上のコーナ部を有する多角形筒状とされ、
前記衝撃吸収体の後部側は、前部側よりもコーナ部の数が多くされていることを特徴とする、車両側部構造。
【請求項２】
請求項１に記載の車両側部構造であって、
前記衝撃吸収体の周壁部は、五角形筒状とされており、
前記衝撃吸収体の後部側には、３つのコーナ部が位置し、かつ前部側には、２つのコーナ部が位置する構成とされ、前記周壁部のうち、前記２つのコーナ部間に挟まれている壁部は、この壁部の起立方向の中間部分が前記衝撃吸収体の内側に窪み、または前記衝撃吸収体の外方に膨出した屈曲状または湾曲状とされている、車両側部構造。
【発明の詳細な説明】
【技術分野】
【０００１】
本発明は、車両側面衝突に好適に対応することが可能な車両側部構造に関する。
【背景技術】
【０００２】
車両側部構造の一例として、特許文献１に記載された構造がある。
同文献に記載された構造においては、車両のサイドドアのドアトリムとドアパネルとの間に、衝撃吸収体が配されている。この衝撃吸収体は、全体が樹脂製のボックス状であり、天板部と、この天板部に一体的に繋がって前記天板部の外周縁から車幅方向に起立する周壁部とを有している。この衝撃吸収体は、車幅方向外方からの所定以上の負荷入力があると、周壁部が屈曲変形し、このことにより衝撃エネルギ吸収作用が得られる。したがって、乗員保護に役立つ。
【０００３】
しかしながら、前記従来技術においては、次のように、改善余地がある。
【０００４】
すなわち、車両側面衝突時には、サイドドアのドアアウタパネルなどが変形する結果、サイドドア内に設けられているドアロックユニットにも負荷が入力し、このドアロックユニットが不当に作動したり、あるいは損傷するといった虞がある。ドアロックユニットが不当に作動し、ロック解除がなされたのでは、サイドドアが開く虞がある。また、ドアロックユニットが損傷したのでは、サイドドアのロック状態の解除が困難となる虞がある。これに対し、前記従来技術においては、前記したような事態を好適に防止することは困難なものとなっている。
【先行技術文献】
【特許文献】
【０００５】
【特許文献１】特開２０１０−２６４９７１号公報
【発明の概要】
【発明が解決しようとする課題】
【０００６】
本発明は、前記したような事情のもとで考え出されたものであり、車両側面衝突時における乗員保護を適切に図りつつ、ドアロックユニットへの負荷入力を適切に抑制することが可能な車両側部構造を提供することを、その課題としている。
【課題を解決するための手段】
【０００７】
上記の課題を解決するため、本発明では、次の技術的手段を講じている。
【０００８】
本発明により提供される車両側部構造は、車両のサイドドアに取り付けられた衝撃吸収体と、前記サイドドアの後部寄りの位置に設けられたドアロックユニットと、を備えており、前記衝撃吸収体は、天板部と、この天板部に一体的に繋がって前記天板部の外周縁から車幅方向に起立する周壁部とを有するボックス状とされ、かつ車幅方向外方からの所定以上の負荷入力によって前記周壁部が屈曲変形可能とされている、車両側部構造であって、前記衝撃吸収体は、前記ドアロックユニットに接近するようにして前記ドアロックユニットよりも車両前方寄りに配されており、前記衝撃吸収体の周壁部は、３以上のコーナ部を有する多角形筒状とされ、前記衝撃吸収体の後部側は、前部側よりもコーナ部の数が多くされていることを特徴としている。
【０００９】
このような構成によれば、次のような効果が得られる。
第１に、衝撃吸収体の周壁部は、その後部側が前部側よりもコーナ部の数が多くされて
いるが、衝撃吸収体の特性として、コーナ部の数が多いほど周壁部が屈曲変形し難くなる。したがって、衝撃吸収体は、前部側が変形し易く、後部側は変形し難くなる。衝撃吸収体の後部側は、ドアロックユニットに近い部分とされているために、ドアロックユニットの近傍部分においては、サイドドアのアウタパネルなどが車幅方向内方へ大きく変形することが衝撃吸収体によって抑制される。したがって、ドアロックユニットへの負荷入力を好適に防止し、または抑制することができる。
第２に、衝撃吸収体の前部側は、既述したように、変形を生じ易い部分であり、衝撃エネルギを効率よく吸収し得る部分である。この衝撃吸収体の前部側は、ドアロックユニットよりも車両前方側へ適当な距離だけ離れた箇所に配置することができ、たとえば乗員の腰に対応する位置へ好適に配置することが可能である。したがって、乗員に向けての負荷入力に対しては、衝撃吸収体の前部によって衝撃エネルギを適切に吸収させ、乗員保護を好適に図ることができる。
第３に、本発明は、衝撃吸収体の形状および配置に工夫を施すことにより、前記した効果が得られるものであり、別部材などを用いる必要はない。また、衝撃吸収体の製造工程や組み付け工程が、従来と比較して煩雑化するといったこともない。したがって、生産性がよく、製造コストを廉価にすることもできる。
【００１０】
本発明において、好ましくは、前記衝撃吸収体の周壁部は、五角形筒状とされており、前記衝撃吸収体の後部側には、３つのコーナ部が位置し、かつ前部側には、２つのコーナ部が位置する構成とされ、前記周壁部のうち、前記２つのコーナ部間に挟まれている壁部は、この壁部の起立方向の中間部分が前記衝撃吸収体の内側に窪み、または前記衝撃吸収体の外方に膨出した屈曲状または湾曲状とされている。
【００１１】
このような構成によれば、その詳細については後述の実施形態で説明するが、衝撃吸収体の前部側の屈曲変形の確実化を図り、乗員保護をより好適に図ることができる。一方、衝撃吸収体の後部側の屈曲変形防止効果を高め、ドアロックユニットへの負荷入力防止をより徹底して図ることが可能となる。
【００１２】
本発明のその他の特徴および利点は、添付図面を参照して以下に行なう発明の実施の形態の説明から、より明らかになるであろう。
【図面の簡単な説明】
【００１３】
【図１】（ａ）は、本発明に係る車両側部構造の一例を示す説明図であり、（ｂ）は、（ａ）のIb−Ib概略断面図であり、（ｃ）は、（ａ）のIc−Ic断面を模式的に示す概略平面断面図である。
【図２】（ａ）は、図１に示す車両側部構造において用いられている衝撃吸収体の斜視図であり、（ｂ）は、その正面図であり、（ｃ）は、（ａ）のIIc−IIc断面図であり、(ｄ)は、(ａ)のIId−IId断面図である。
【図３】図１に示す車両側部構造の作用を模式的に示す概略平面断面図である。
【図４】本発明の他の例を模式的に示す説明図である。
【発明を実施するための形態】
【００１４】
以下、本発明の好ましい実施の形態について、図面を参照して具体的に説明する。
図面において、矢印Ｆｒは車両前方を示し、矢印Ｏｕは車幅方向外方を示し、矢印Ｕｐは上方を示している。
以下の説明における「前後方向」は、車両前後方向と一致した方向である。
【００１５】
図１に示す車両側部構造Ａにおいては、自動車のサイドドア１に、ドアロックユニット２および衝撃吸収体ＥＡが取り付けられている。サイドドア１は、同図（ｂ）に示すように、サイドドアアウタパネル１０（以下、アウタパネル１０）と、サイドドアインナパネ
ル（以下、インナパネル１１）とを接合して構成され、インナパネル１１には、ドアトリム１２が取り付けられている。ドアロックユニット２は、サイドドア１の施錠および解錠動作を行なうためのユニットであり、たとえばアウタパネル１０とインナパネル１１との間に配されて、サイドドア１の後部寄りの位置に設けられている。
【００１６】
衝撃吸収体ＥＡは、樹脂製であり、内部空洞のボックス状である。図２に示すように、この衝撃吸収体ＥＡは、天板部３、この天板部３の外周縁から天板部３の厚み方向（車幅方向に相当）に起立する周壁部４、この周壁部４の先端部に繋がった取付け用座部５を有しており、これら全体は一体成形されている。
【００１７】
周壁部４は、５つのコーナ部Ｃ（Ｃ１〜Ｃ５）を有する５角形筒状とされ、５つのコーナ部Ｃによって区画された第１ないし第５の壁部４ａ〜４ｅを有している。各コーナ部Ｃは、比較的大きい丸みをもっているが、このようなコーナ部も、本発明でいうコーナ部に含まれる。周壁部４は、より詳細には、不等辺五角形の筒状である。第１ないし第５の壁部４ａ〜４ｅのうち、最も車両前方寄りに位置する第１の壁部４ａが、最も大きな幅とされている。第２および第５の壁部４ｂ，４ｅは、略同一の幅である。第３および第４の壁部４ｃ，４ｄは、略同一の幅であり、かつ最も小さい幅とされている。
【００１８】
好ましくは、第１ないし第５の壁部４ａ〜４ｅのそれぞれは、平面状ではなく、それらの起立方向の略中央部が衝撃吸収体ＥＡの内側へ僅かに窪み、または衝撃吸収体ＥＡの外側へ僅かに膨出するように、小さい角度で屈曲した面とされている。第１ないし第５の壁部４ａ〜４ｅの起立方向の中間部分には、これらが屈曲変形する際の起点となる屈曲線Ｌ１〜Ｌ５が形成されている。第１、第３および第４の壁部４ａ，４ｃ，４ｄについては、その屈曲変形時に衝撃吸収体ＥＡの内側への屈曲が確実化されるようにそれらの起立方向の中間部分が窪んでいる。これに対し、第２および第５の壁部４ｂ，４ｅについては、屈曲変形時に衝撃吸収体ＥＡの外側への屈曲が確実化されるようにそれらの中間部分が膨出している。なお、第１ないし第５の壁部４ａ〜４ｅを、屈曲線Ｌ１〜Ｌ５が形成された屈曲面とすることに代えて、屈曲線Ｌ１〜Ｌ５を有しない湾曲面とすることもできる。また、本発明においては、第１ないし第５の壁部４ａ〜４ｅを屈曲や湾曲のない平面状に形成することもできる。
【００１９】
図１（ｂ），（ｃ）に示すように、衝撃吸収体ＥＡは、たとえばドアトリム１２の車幅方向外方側に取り付けられている。この取り付けは、図２で示した取付け用座部５を、ビス止めするなどして行なわれる。衝撃吸収体ＥＡとアウタパネル１０との間には、アウタパッド８が介装されている。図１（ａ），（ｂ）に示すように、衝撃吸収体ＥＡは、ドアロックユニット２に接近し、かつドアロックユニット２よりも車両前方寄りとなる位置に配されている。加えて、衝撃吸収体ＥＡのうち、３つのコーナ部Ｃ３〜Ｃ５は、衝撃吸収体ＥＡの後部側に位置してドアロックユニット２に接近し、かつ２つのコーナ部Ｃ１，Ｃ２は、衝撃吸収体ＥＡの前部側に位置してドアロックユニット２から比較的距離が離れた配置とされている。衝撃吸収体ＥＡの前部側は、乗員との関係においては、たとえば乗員の腰部に対応する配置となっている。
【００２０】
次に、前記した車両側部構造Ａの作用について説明する。
【００２１】
まず、衝撃吸収体ＥＡの周壁部４は、後部側に３つのコーナ部Ｃ３〜Ｃ５が設けられ、かつ前部側には２つのコーナ部Ｃ１，Ｃ２が設けられた構成とされている。周壁部４は、コーナ部Ｃが多くされている部分ほど剛性が高くなるため、相対的に、衝撃吸収体ＥＡの後部側は変形し難く、かつ前部側は変形し易いものとなる。
【００２２】
したがって、図３に模式的に示すように、車両側面衝突により所定以上の負荷Ｆがサイ
ドドア１に入力した際には、衝撃吸収体ＥＡの前部側（第１の壁部４ａが位置する側）の屈曲変形量を大きくすることにより、衝撃エネルギ吸収が好適に行なわれ、乗員保護が図られる。一方、衝撃吸収体ＥＡの後部側については、屈曲変形が抑制されることにより、アウタパネル１０の進入を抑制し、ドアロックユニット２への負荷入力を回避することが可能である。このため、負荷入力に起因してドアロックユニット２が不当に起動したり、あるいは損傷するといったことを防止することができる。
【００２３】
本実施形態においては、次のような原理により、衝撃吸収体ＥＡの前部側と後部側との屈曲変形量の差をより顕著にすることが可能である。
すなわち、車両側面衝突時によってアウタパネル１０が車幅方向内方に進入する際には、殆どの場合において、サイドドア１の後部側よりも中央部側の方が、進入量が大きい状態となる。このため、衝撃吸収体ＥＡの周壁部４のうち、最も前側に位置する第１の壁部４ａが最初に屈曲変形を開始する。ここで、図２（ｄ）の矢印Ｎ１で示すように、第１の壁部４ａが内側に屈曲変形すると、これに伴って、第２および第５の壁部４ｂ，４ｅには、これらを矢印Ｎ２で示す外側方向に屈曲変形させようとする力が発生する。第２および第５の壁部４ｂ，４ｅが実際に前記の方向に屈曲変形すると、第３および第４の壁部４ｃ，４ｄには、これらを矢印Ｎ３で示す内側方向に屈曲変形させようとする力が発生するが、これらはコーナ部Ｃ４を挟んで隣接しているため、互いに干渉し合い、前記方向への変形は抑制される。
【００２４】
このような作用により、本実施形態によれば、衝撃吸収体ＥＡの前部側を利用した衝撃エネルギ吸収を好適に行なわせつつ、衝撃吸収体ＥＡの後部側の変形抑制によるドアロックユニット２への負荷入力防止作用が、より的確に得られることとなる。
なお、第１ないし第５の壁部４ａ〜４ｅの屈曲方向は、前記とは反対方向とすることも可能であり、第１、第３および第４の壁部４ａ，４ｃ，４ｄが外側方向に屈曲し、第２および第５の壁部４ｂ，４ｅが内側方向に屈曲するように構成した場合においても、前記したのと同様な作用が得られる。
【００２５】
本実施形態の車両側部構造Ａにおいては、衝撃吸収体ＥＡの形状や配置に工夫を施しているものの、衝撃吸収体ＥＡに特別な追加部品を設けるような必要はない。衝撃吸収体ＥＡは、金型を用いて容易に樹脂成形可能である。また、衝撃吸収体ＥＡをサイドドア１に特殊な態様で取り付ける必要もないため、生産性もよい。したがって、製造コストを廉価にすることができる利点も得られる。
【００２６】
図４は、本発明の他の実施形態を示している。同図において、前記実施形態と同一または類似の要素には、前記実施形態と同一の符号を付している。
【００２７】
図４に示す実施形態においては、衝撃吸収体ＥＡの周壁部４が、３つのコーナ部Ｃ１〜Ｃ３を有する三角形筒状とされている。衝撃吸収体ＥＡの前部側には、１つのコーナ部Ｃ１が存在するのに対し、後部側には、２つのコーナ部Ｃ２，Ｃ３が存在し、これらのコーナ部Ｃ２，Ｃ３がドアロックユニット２に接近している。
【００２８】
本実施形態によれば、衝撃吸収体ＥＡの前部側と後部側とでは、コーナ部の数が相違することに基づき、前部側を変形し易く、かつ後部側を変形し難くすることが可能である。また、車両側面衝突時には、図４における第１の壁部４ａが最初に屈曲変形を開始するが、これに伴って第２および第３の壁部４ｂ，４ｃが屈曲変形しようとする際には、これらがコーナ部Ｃ２の近辺において干渉し合い、コーナ部Ｃ２の近辺がとくに変形し難くなる作用が得られる。
【００２９】
本実施形態および前記実施形態から理解されるように、本発明においては、衝撃吸収体
の周壁部に設けられるコーナ部の具体的な数は限定されない。要は、衝撃吸収体の周壁部は、３以上のコーナ部を有する多角形筒状とされ、前部側よりも後部側の方が、コーナ部の数が多くされていればよい。
図２（ｄ）や図４を参照して説明したように、衝撃吸収体の後部側に位置する２つの壁部が干渉し合うことによって、それらの屈曲変形が抑制されるようにした構成は、コーナ部の数を奇数にすることによって好適に実現可能である。本発明では、そのような構成を用いることがより好ましいものの、必ずしもそのような構成にされていなくてもよく、周壁部をコーナ部の数が偶数の多角形筒状にすることもできる。
【００３０】
本発明は、上述した実施形態の内容に限定されない。本発明に係る衝撃吸収体の各部の具体的な構成は、本発明の意図する範囲内において種々に設計変更自在である。
たとえば、衝撃吸収体の適当な箇所に、孔部や切り欠きを設けるといった手段を採用することもできる。
【符号の説明】
【００３１】
Ａ  車両側部構造
Ｃ（Ｃ１〜Ｃ５）  コーナ部
ＥＡ  衝撃吸収体
１  サイドドア
２  ドアロックユニット
３  天板部（衝撃吸収体の）
４  周壁部（衝撃吸収体の）
【図１】
2015196431.tif 000003
【図２】
2015196431.tif 000004
【図３】
2015196431.tif 000005
【図４】
2015196431.tif 000006